(57)【要約】      （修正有）【課題】軽量で比較的強度も高く、吸水性が比較的低い素材で形成されたストリンガーを備えるサーフボードを提供する。【解決手段】サーフボード１は、先端から後端に延びる板状のストリンガー１０の両面に、小口が配置された板状の芯材２０が、ストリンガー１０とともに外装材で覆われ、ストリンガー１０は、木材の中において、比較的軽く、重量に対する強度が比較的高く、吸水性が比較的低い、という特徴を有する桐材により形成されている。【選択図】図１
0003190373.tif 000002
【実用新案登録請求の範囲】
【請求項１】
先端から後端に延びる板状のストリンガーの両面に、小口が配置された板状の芯材が、前記ストリンガーとともに外装材で覆われたサーフボードであって、
前記ストリンガーは、桐材により形成されているサーフボード。
【考案の詳細な説明】
【技術分野】
【０００１】
本考案は、サーフボードに関し、特に、先端から後端に延びる板状のストリンガーの両面に、小口が配置された板状の芯材が、ストリンガーとともに外装材で覆われたサーフボードに関する。
【背景技術】
【０００２】
従来、サーフボードは、デッキ面に使用者が乗り、ボトム面が水面に押しつけられ波の力を受け、使用者の体重移動により、側部（レール）が水面に食い込み、水面に食い込んだ側部方向にカーブする。
【０００３】
このようなサーフボードとして、中央のストリンガーを挟んだ発泡ブランクで形成され、ストリンガーは標準的にバルサ材で形成され、発泡ブランクとストリンガーとは、ガラスファイバマットとポリエステル樹脂とで形成されたガラスファイバシェル内に包み込まれるサーフボードが開示されている（特許文献１参照）。
この特許文献１のサーフボードは、ストリンガーにより、ボードに強度と剛性が付与されている。
【先行技術文献】
【特許文献】
【０００４】
【特許文献１】特表２０１０−５２６７０８号公報
【考案の概要】
【考案が解決しようとする課題】
【０００５】
ところで、サーフボードは、面全体の強度が要求されるとともに、浮力を得るため軽量である必要がある。
また、サーフボードは、内部に水が浸入しないように、外装がガラスファイバシェルにより覆われているが、このガラスファイバシェルが割れ、内部に水が浸入する場合がある。
【０００６】
このようなサーフボードの芯としての機能を果たすストリンガーは、軽量で比較的強度も高く、吸水性が比較的低い素材を用いる必要があり、より良い素材を探求する必要がる。
【０００７】
本考案は、軽量で比較的強度も高く、吸水性が比較的低い素材で形成されたストリンガーを備えるサーフボードを提供することを目的とする。
【課題を解決するための手段】
【０００８】
先端から後端に延びる板状のストリンガーの両面に、小口が配置された板状の芯材が、前記ストリンガーとともに外装材で覆われたサーフボードであって、
前記ストリンガーは、桐材により形成されているサーフボード。
【０００９】
ここで、桐材は、木材の中において、比較的軽く、重量に対する強度が比較的高く、吸水性が比較的低く、いという特徴がある。
本考案の構成によれば、サーフボードのストリンガーを、桐材により形成した。
これにより、軽量で比較的強度も高く、吸水性が比較的低い素材で形成されたストリンガーを備えるサーフボードを提供できる。
【００１０】
また、サーフボードは、板状のストリンガーの両面に、例えば、発泡ウレタンフォームで形成された板状の芯材が固定された状態から、表面が削られ、所望の特性（例えば、テイクオフが早い、曲がり易い、巻き込む波に適している等）を発揮する形状に形成される。
桐材は、更に、収縮率が比較的低く、割れや狂いが少なく精密に加工できるという特性もある。このため、本考案によれば、所望の特性を発揮する形状に精密に形成し易くなるので、より精度の高いサーフボードを提供できる。
【考案の効果】
【００１１】
本考案によれば、軽量で比較的強度も高く、吸水性が比較的低い素材で形成されたストリンガーを備えるサーフボードを提供できる。
【図面の簡単な説明】
【００１２】
【図１】本考案の一実施形態に係るサーフボードをデッキ面から視た図である。
【図２】前記実施形態に係るサーフボードをボトム面から視た図である。
【図３】図１に示す前記実施形態に係るサーフボードのＡＡ断面図である。
【図４】前記実施形態に係るサーフボードのストリンガーを側面から視た図である。
【考案を実施するための形態】
【００１３】
本考案の実施形態に係るサーフボード１の構成を図面に基づいて説明する。
図１は、本考案の一実施形態に係るサーフボード１をデッキ面１Ａから視た図である。
図２は、前記実施形態に係るサーフボード１をボトム面１Ｂから視た図である。
図３は、図１に示す前記実施形態に係るサーフボード１のＡＡ断面図である。
図４は、前記実施形態に係るサーフボード１のストリンガー１０を側面から視た図である。
【００１４】
サーフボード１は、先端から後端に延びる板状のストリンガー１０の両面に、小口が配置された板状の芯材２０が固定されている。
また、サーフボード１は、図３に示すように、サーフボード１は、ストリンガー１０と芯材２０とが外装材３０で覆われている。
【００１５】
ストリンガー１０は、桐材により形成され、図４に示すように、ボトム面側に膨出する緩やかな円弧形状に形成され、その幅が中央部から先端側及び後端側に向かって徐々に狭くなるように形成されている。
なお、ストリンガー１０は、サーフボード１を制作するシェイパーにより、サーフボード１に求める特性（例えば、テイクオフが早い、曲がり易い、巻き込む波に適している等）に応じた形状に精密に加工される。
【００１６】
芯材２０は、ストリンガー１０を中心に左右対称に形成されている。
芯材２０は、板状に形成された、例えば、発泡ウレタンフォームにより形成され、図１及び図２に示すように、デッキ面１Ａ及びボトム面１Ｂから視て、左右方向の幅が中方部分から先端側及び後端側に向かって徐々に狭くなるように形成されている。
また、芯材２０は、図３に示すように、ストリンガー１０に固定された中央部分の厚さが最も厚く、左右端部に向かって徐々に薄くなり、緩やかな円弧を描き、デッキ面１Ａからボトム面１Ｂに連なっている。
このように構成されることで、ストリンガー１０は、芯材２０の骨格として機能し、サーフボード１の剛性を向上さる。
【００１７】
外装材３０は、例えば、ガラスクロスをレジンで一体化したもので形成され、芯材２０全体を覆っている。
【００１８】
図１に示すように、サーフボード１のデッキ面１Ａには、後端側に、リーシュを接続するためのリーシュカップ４０が設けられている。
【００１９】
サーフボード１のボトム面１Ｂには、後端側に、フィンを固定するためのフィン固定部５０が設けられている。なお、サーフボード１には、フィン固定部５０ではなく、直接フィンを設けてもよい。
【００２０】
次に、サーフボード１の制作手順を説明する。
まず、ストリンガー１０を芯材２０で挟んだブランクスを、サーフボード１に求める特性（例えば、テイクオフが早い、曲がり易い、巻き込む波に適している等）に応じた形状に精密に削り、サーフボード１の外形を形成する（シェイプ工程）。
次に、削ったブランクスにガラスクロスをのせ、必要に応じて、ディケールを配置し、ガラスクロスの上からレジンを塗布し、レジンが硬化した後、更にレジンを塗布し、硬化させる（ラミネート工程）。
そして、全体的にサンディングし、サーフボード１の表面を滑らかに仕上げる（サンディング工程）。
【００２１】
本実施形態によれば、ストリンガー１０を、木材の中において、比較的軽く、重量に対する強度が比較的高く、吸水性が比較的低くいという特徴を有する桐材で形成した。
これにより、軽量で比較的強度も高く、吸水性が比較的低い素材で形成されたストリンガー１０を備えるサーフボード１を提供できる。
【００２２】
また、サーフボード１は、板状のストリンガー１０の両面に、例えば、発泡ウレタンフォームで形成された板状の芯材２０が固定された状態から、表面が削られ、所望の特性（例えば、テイクオフが早い、曲がり易い、巻き込む波に適している等）を発揮する形状に形成される。
桐材は、更に、収縮率が比較的低く割れや狂いが少なく精密に加工できるという特性もある。このため、本実施形態によれば、所望の特性を発揮する形状に精密に形成し易くなるので、より精度の高いサーフボードを提供できる。
【００２３】
なお、本考案は前記実施形態に限定されるものではなく、本考案の目的を達成できる範囲での変形、改良等は本考案に含まれるものである。
【符号の説明】
【００２４】
１    サーフボード
１Ａ  デッキ面
１Ｂ  ボトム面
１０  ストリンガー
２０  芯材
３０  外装材
４０  リーシュカップ
５０  フィン固定部
【図１】
0003190373.tif 000003
【図２】
0003190373.tif 000004
【図３】
0003190373.tif 000005
【図４】
0003190373.tif 000006